(57)【特許請求の範囲】
【請求項１】
共に灰色基調の第１パターン及び第２パターンを表示画面に繰り返し表示する第１表示と、有彩色の第３パターン及び他の有彩色の第４パターンを前記表示画面に繰り返し表示する第２表示とを交互に行う表示制御部と、
前記表示画面を見たユーザの脳波を、前記ユーザの頭部に付設した検出電極により電気信号として取得する脳波信号取得部と、
前記脳波信号取得部により取得された、前記第１表示に応じた第１電気信号と前記第２表示に応じた第２電気信号とに基づいて、前記ユーザの色覚が正常であるか否かを判定する色覚判定部と、
を備える視覚診断装置。
【請求項２】
前記第２表示が、赤色の第３パターン及び緑色の第４パターンからなる表示と、青色の第３パターン及び黄色の第４パターンからなる表示とからなる請求項１に記載の視覚診断装置。
【請求項３】
前記第１表示及び前記第２表示は、前記第１表示及び前記第２表示の夫々の色の輝度を所定の範囲内で変化させて彩色されている請求項１又は２に記載の視覚診断装置。
【請求項４】
前記色覚判定部は、前記第１表示に応じた第１電気信号の振幅値と、前記第２表示に応じた第２電気信号の振幅値との差異をプロットして作成したマップに基づいて判定する請求項１から３のいずれか一項に記載の視覚診断装置。
【発明の詳細な説明】
【技術分野】
【０００１】
本発明は、ユーザの色覚を診断する視覚診断装置に関する。
【背景技術】
【０００２】
生物は、物体から放射された光や、物体で反射された光を眼球で捉え、脳で信号処理することにより色の知覚を行っている。眼球に入った光は、水晶体にて焦点の調節が行われ、網膜に受容される。例えば、人の目の網膜には、暗い場所で機能する桿体と明るい場所で機能する錘体との２種類の視細胞がある。錘体視細胞は３種類あり、夫々赤色（波長５５０−６５０ｎｍ）、緑色（波長５００−６００ｎｍ）、青色（波長４００−５００ｎｍ）の光を受容する。物体の色の正確な知覚は、このような錘体視細胞の３原色（赤色、緑色、青色）の受容により実現される。しかしながら、錘体視細胞の一部又は全てを先天的に有さない人が存在する。このような人は、全種類（３種類）の錘体視細胞を有する人に比べて、先天的に色覚異常を有することとなる。また、色覚異常は、例えば白内障、網膜や神経系や大脳の病変、心理的ストレスにより後天的にも起こり得る。このような色覚の異常を診断する技術として、例えば特許文献１−５に記載のものがある。
【０００３】
特許文献１に記載の色覚能力測定装置は、所定の検査画面を用いて被検者にマウスにより選択させ、その選択回数の検出結果に応じて色覚を検査するものである。特許文献２に記載の色覚を診断および補助するための技術は、所定の２つのテスト画像を患者に目視比較させ、その結果を用いて色覚障害をテストする方法である。特許文献３に記載の色覚特性検知装置は、所定の視覚特性の試験用の第１画像データをユーザに提示し、当該第１画像データが提示されたユーザからの入力に応じて、異なる視覚特性の試験用の第２画像データをユーザに提示するか否かを決定するものである。特許文献４に記載の自動視機能検査装置は、所定の視力検査視標をユーザに提示し、ユーザにより操作入力手段で視力検査視標の視認した方向の入力があった場合に、次の視力検査指標を選択して提示するものである。特許文献５に記載の色覚検査装置は、標準色と、当該標準色と比較する比較色とを表示して、比較色を変化させながら被検者が標準色と等しいと感じる比較色である等色を特定し、この等色から被検者に適合した色覚補正レンズを特定するものである。
【先行技術文献】
【特許文献】
【０００４】
【特許文献１】特開２００６−１３０３０４号公報
【特許文献２】特表２００７−５０１０７８号公報
【特許文献３】特開２００５−２５３５８３号公報
【特許文献４】特開２００６−５５２０２号公報
【特許文献５】特開２０１３−７０７７４号公報
【発明の概要】
【発明が解決しようとする課題】
【０００５】
特許文献１−５に記載の技術は、被験者の入力によってその後の処理を行うものであるので、検査の信頼性がユーザの回答に依存する。また、ユーザによって入力にばらつきがあるケースが多いので、色覚の検査結果について定量的な評価を行うことが困難であり、更には、色覚が正常であるか否かは最終的には医師の診断が必要であった。
【０００６】
そこで、色覚が正常であるか否かを客観的に、且つ、定量的に判定することが可能な視覚診断装置が求められる。
【課題を解決するための手段】
【０００７】
本発明に係る視覚診断装置の特徴構成は、共に灰色基調の第１パターン及び第２パターンを表示画面に繰り返し表示する第１表示と、有彩色の第３パターン及び他の有彩色の第４パターンを前記表示画面に繰り返し表示する第２表示とを交互に行う表示制御部と、前記表示画面を見たユーザの脳波を、前記ユーザの頭部に付設した検出電極により電気信号として取得する脳波信号取得部と、前記脳波信号取得部により取得された、前記第１表示に応じた第１電気信号と前記第２表示に応じた第２電気信号とに基づいて、前記ユーザの色覚が正常であるか否かを判定する色覚判定部と、を備えている点にある。
【０００８】
このような特徴構成とすれば、第１表示を見た際に取得された電気信号の振幅を基準として、第２表示を見た際に取得された電気信号の振幅を比較することで、ユーザが第３パターン及び第４パターンの夫々の色が弁別可能であるか否かを容易に判定することができる。このような脳波信号は、ユーザの主観的要素が入り込むことはないので、本構成であれば客観的に、且つ、定量的にユーザの色覚が正常であるか否かを判定することが可能となる。
【０００９】
また、前記第２表示が、赤色の第３パターン及び緑色の第４パターンからなる表示と、青色の第３パターン及び黄色の第４パターンからなる表示とからなると好適である。
【００１０】
このような構成とすれば、ユーザが赤色及び緑色が弁別可能であるか否か、また、青色及び黄色が弁別可能であるか否かを容易に判定することができる。
【００１１】
また、前記第１表示及び前記第２表示は、前記第１表示及び前記第２表示の夫々の色の輝度を所定の範囲内で変化させて彩色されていると好適である。
【００１２】
このような構成とすれば、夫々の色に対して、所定の輝度バラツキを含ませて表示することができる。したがって、ユーザにとって見易い輝度で第１表示及び第２表示を表示することができるので、ユーザにとって見易い状況の下、色覚が正常であるか否かを判定することが可能となる。
【００１３】
また、前記色覚判定部は、前記第１表示に応じた第１電気信号の振幅値と、前記第２表示に応じた第２電気信号の振幅値との差異をプロットして作成したマップに基づいて判定すると好適である。
【００１４】
このような構成とすれば、ユーザから取得された脳波信号を定量的に評価し易くなる。したがって、ユーザの色覚が正常であるか否かを容易に判定することが可能となる。
【図面の簡単な説明】
【００１５】
【図１】視覚診断装置の構成を示すブロック図である。
【図２】本実施形態に係る第１表示を示す図である。
【図３】本実施形態に係る第２表示を示す図である。
【図４】本実施形態に係る表示制御部による表示のフローを示す図である。
【図５】本実施形態に係る表示制御部による表示のフローを示す図である。
【図６】標準試行と固視試行との表示形態を示す図である。
【図７】取得された電気信号の一例を示す図である。
【図８】周波数解析結果の一例を示す図である。
【図９】色覚が正常である人から得られた電気信号の振幅変化の例である。
【図１０】先天的色覚異常者からから得られた電気信号の振幅変化の例である。
【図１１】後天的色覚異常者からから得られた電気信号の振幅変化の例である。
【図１２】電気信号の振幅値を用いたマップの作成について示す図である。
【図１３】マップの一例を示す図である。
【図１４】視覚診断装置による自動判別の判別率を示す図である。
【発明を実施するための形態】
【００１６】
本発明に係る視覚診断装置は、ユーザの色覚が正常であるか否かを客観的に判定する機能を備えて構成される。以下、本実施形態の視覚診断装置１について説明する。
【００１７】
図１は、視覚診断装置１の構成を模式的に示した図である。図１に示されるように視覚診断装置１は、表示制御部１０、脳波信号取得部２０、色覚判定部３０の各機能部を備えて構成され、これらの機能部は色覚判定に係る処理を行うために、ＣＰＵを中核部材としてハードウェア又はソフトウェア或いはその両方で構築されている。
【００１８】
表示制御部１０は、第１表示と、第２表示とを交互に行う。第１表示及び第２表示は、視覚診断装置１がユーザ３の色覚が正常であるか否かの判定（以下「色覚判定」とする）を行うためにユーザ３に見せる画像である。以下では、第１表示及び第２表示を区別する必要がない場合には総称して「視覚オブジェクト」として説明する。本実施形態に係る第１表示の例が図２に示される。第１表示とは、図２に示されるような第１パターン及び第２パターンを表示装置２の表示画面Ｇに繰り返し表示する表示である。第１パターン及び第２パターンは、共に灰色基調のパターンで作成される。第１パターン及び第２パターンは、大きさが見かけで１０度となるように設定され、形状はモザイクパッチ構造を有する円形で設定される。モザイクパッチ構造とは、円形状のパッチを複数配置して、一つの円形状を構成した構造である。各パッチの大きさは見かけで０．２度〜０．５度の範囲内でランダムに設定され、配置は互いのパッチが重ならないようにランダムに決定される。
【００１９】
灰色基調とは、灰色（Ｇｒａｙ）を基準として作成された色をいう。したがって、色名称をＲＧＢ値で示した場合に（１２８,１２８，１２８）に限らず、例えば（２２０，２２０，２２０）や、（２１１，２１１，２１１）や、（１９２，１９２，１９２）や、（１６９，１６９，１６９）や、（１２８，１２８，１２８）や、（１０５，１０５，１０５）等の色を用いて作成することも可能であることを意味する。
【００２０】
また、本実施形態では、第１表示の夫々の色の輝度は所定の範囲内で変化させて彩色されている。本実施形態では、パッチ毎に、基本色である（１２８,１２８，１２８）で規定される灰色から−２２．５、−１５、−７．５、７．５、１５、２２．５ｃｄ／ｍ２の内のいずれかの輝度逸脱が生じるように、明度の調整が行われる。どのパッチに輝度逸脱を行うかは、ランダムにより決定される。したがって、本実施形態では、第１パターンと第２パターンとは異なるパターンで作成される。
【００２１】
図３には、本実施形態に係る第２表示の例が示される。第２表示とは、図３に示されるような第３パターン及び第４パターンを表示装置２の表示画面Ｇに繰り返し表示する表示である。第３パターンは有彩色のパターンで作成され、第４パターンは他の有彩色のパターンで作成される。有彩色とは、白色と黒色とを階調表示した際に表示される色以外の色である。本実施形態では、第２表示として２つの表示が利用される。一方の第２表示は、第３パターンの有彩色として赤色（Ｒｅｄ）が用いられ、第４パターンの有彩色として緑色（Ｇｒｅｅｎ）が用いられる。他方の第２表示は、第３パターンの有彩色として青色（Ｂｌｕｅ）が用いられ、第４パターンの有彩色として黄色（Ｙｅｌｌｏｗ）が用いられる。以下では、これらを区別する時には、前記一方の第２表示を「Ｒ−Ｇ系第２表示」として示し、前記他方の第２表示を「Ｂ−Ｙ系第２表示」として示す。
【００２２】
このような第２表示における第３パターン及び第４パターンも、第１表示における第１パターン及び第２パターンと同様に、大きさが見かけで１０度となるように設定され、形状はモザイクパッチ構造を有する円形で設定される。各パッチの大きさは見かけで０．２度〜０．５度の範囲内でランダムに設定され、配置は互いのパッチが重ならないようにランダムに決定される。
【００２３】
また、本実施形態では、第２表示の夫々の色の輝度も所定の範囲内で変化させて彩色されている。本実施形態では、パッチ毎に、夫々のパターンの基本色（赤色、緑色、青色、黄色）から−２２．５、−１５、−７．５、７．５、１５、２２．５ｃｄ／ｍ２の内のいずれかの輝度逸脱が生じるように、明度の調整が行われる。どのパッチに輝度逸脱を行うかは、ランダムにより決定される。
【００２４】
このような視覚オブジェクト（第１表示及び第２表示）は、下地（背景）を同じ色に統一すると好適である。本実施形態では、灰色で設定される。
【００２５】
図４及び図５には、本実施形態に係る表示制御部１０による視覚オブジェクトの表示に係るフローが示される。図４はメインルーチンであり、図５はサブルーチンである。また、図６にはサブルーチンにおける表示画面Ｇへの表示形態が示される。メインルーチンは、セッション１〜セッション５に分かれている。ここで、視覚オブジェクトは、所定の周期で点滅して表示される。セッション１〜セッション５は、夫々、視覚オブジェクトの点滅周期（明滅周波数）が異なる。具体的にはセッション１は周波数が２Ｈｚ、セッション２は周波数が３Ｈｚ、セッション３は周波数が４Ｈｚ、セッション４は周波数が５Ｈｚ、セッション５は周波数が１０Ｈｚに設定されている。
【００２６】
各セッションは、３０回の標準試行と５回の固視試行とで構成される。３０回の標準試行は、１０回の第１表示を表示する第１標準試行、１０回のＲ−Ｇ系第２表示を表示する第２標準試行、及び１０回のＢ−Ｙ系第２表示を表示する第３標準試行からなり、この時に表示画面Ｇを見たユーザ３の脳波が後述する脳波信号取得部２０により取得される。５回の固視試行は、表示画面Ｇに視覚オブジェクトのいずれかがランダムで決定され、表示される。この時、取得されるユーザ３の脳波は色覚判定用の電気信号から除外される。このような３０回の標準試行と５回の固視試行とが実行される順序はランダムで設定される。
【００２７】
図５及び図６に示されるように、標準試行と固視試行とは、色順応期間表示、固視期間表示、刺激期間表示から構成される。色順応期間表示とは、表示画面Ｇには何も表示されず、ユーザ３の色覚を所定の色（例えば灰色）に順応させ、外乱の影響を打ち消すことを目的としたものである。この期間は２秒間設けられる。固視期間表示とは、表示画面Ｇに固視点（画面中央に表示される十字型のオブジェクト）を表示するものであり、ユーザ３に対して画面中央への注視を促すことを目的としたものである。この期間は０．５秒間設けられる。固視点は見かけで５度とし、黒色で作成される。刺激期間表示とは、固視点が表示されている表示画面Ｇの中央部に、上述した第１表示及び第２表示のいずれかを表示するものであり、この期間は５秒間設けられる。標準試行における刺激期間表示では黒色の固視点が表示され、固視試行における刺激期間表示では当該刺激期間表示が開始されてから２秒経過するまでは固視点は黒色で表示し、その後、固視点の色は黄色に変化される。このような固視点の色の変化に応じて、ユーザ３に手元の入力装置でボタンを押下してもらう。これにより、ユーザ３に対して視覚診断への集中を喚起することが可能となる。
【００２８】
図１に戻り、脳波信号取得部２０は、表示画面Ｇを見たユーザ３の脳波を、当該ユーザ３の頭部に付設した検出電極４０により電気信号として取得する。表示画面Ｇには、上述した第１表示と第２表示とが交互に表示される。表示画面Ｇを見たユーザ３の脳波とは、表示制御部１０により表示画面Ｇに表示された一連の第１表示及び第２表示を見た際のユーザ３の脳波をいう。本実施形態では、このような脳波を検出するために、検出電極４０がユーザ３の後頭部に付設される。本実施形態では、検出電極４０は、ユーザ３の後頭部における視覚野周辺の８箇所（国際１０−２０法によるＰ０Ｚ、Ｐ０３、Ｐ０４、Ｐ０７、Ｐ０８、０Ｚ、０１、０２）に付設される。視覚野とは、大脳皮質のうちで視覚に直接関係のある部分であり、後頭葉にある。検出電極４０は、ユーザ３が第１表示及び第２表示を見た際に視覚野から発せられる脳波を検出し易いように、後頭部に付設される。また、ユーザ３の頭部にＧＮＤ電極４１とＲＥＦ電極４２も付設される。
【００２９】
ここで、脳波信号は信号の大きさが数μＶレベルである。そこで、信号処理を行い易くするために、脳波信号取得部２０により取得された脳波信号は生体アンプを用いて信号増幅（例えば１０６倍）される。増幅後の脳波信号は、所定のサンプリング周波数でアナログ−デジタル変換して記録される。このような脳波信号の取得及び処理は、表示制御部１０による表示と同期して行われる。
【００３０】
図７には、セッション毎に取得された電気信号の一例が示される。このような電気信号は周波数分析が行われ、図８に示さるような平均周波数−パワースペクトル密度波形が取得される。図８に示されるような信号は、定常性視覚誘発電位（SSVEP： Steady State Visual Evoked Potential）信号と称される。本実施形態では、定常性視覚誘発電位の第２次ハーモニクス周波数成分（視覚オブジェクトの明滅周波数の２倍にあたる周波数に現れる成分であり、以下では「Ｆ２成分」と称する）の振幅に基づいて判定される。その理由は、定常性視覚誘発電位の基底ハーモニクス周波数成分（明滅周波数と等しい周波数に現れるＦ１成分）と第ｎ次（ただしｎ≧３）ハーモニクス成分（Ｆ４成分、Ｆ６成分）とは、多くの場合Ｆ２成分よりも振幅が小さく、且つ、表示画面Ｇにおける表示を変更しても大きな変化は現れないためである。
【００３１】
図９のＡ−Ｄは、予め色覚が異常でないと判っているユーザ３（以下、「色覚正常者」とする）から取得された定常性視覚誘発電位の振幅の一例が示される。図９は、縦軸が正規化したパワースペクトル密度であり。横軸は明滅周波数である。また、合せて標準誤差も示される。
【００３２】
色覚正常者１８名の定常性視覚誘発電位の振幅から演算した平均データが図９のＥに示される。図９に示されるように、色覚正常者から得られた定常性視覚誘発電位の振幅の特徴としてＲ−Ｇ系第２表示に対する定常性視覚誘発電-位の振幅が最も大きくなり、第１表示に対する定常性視覚誘発電位の振幅が最も小さくなる。また、定常性視覚誘発電位の振幅は明滅周波数３Ｈｚもしくは４Ｈｚで最大となっている。
【００３３】
図１０のＡ−Ｄは、予め色覚が先天的に異常であると判っているユーザ３（以下、「先天的色覚異常者」とする）から取得された定常性視覚誘発電位の振幅の一例が示される。図１０のＡは２型２色覚者のデータであり、図１０のＢ及びＣは２型３色覚者のデータであり、図１０のＤは１型２色覚者のデータである。
【００３４】
図１０に示されるように、先天的色覚異常者から得られた定常性視覚誘発電位の振幅の特徴として、図９のＥと比べてＲ−Ｇ系第２表示に対する定常性視覚誘発電位の振幅が大きく減退している。第１表示に対する定常性視覚誘発電位の振幅を基準とした増加分の最大値は１３０−１６３％の範囲にあり、この値は色覚正常者のデータから得られた値（２８５％）の半分程度であった。一方、Ｂ−Ｙ系第２表示に対する定常性視覚誘発電位の振幅は、色覚正常者の定常性視覚誘発電位の振幅と同等以上となっている。第１表示に対する定常性視覚誘発電位の振幅を基準とした増加分の最大値は１６５−２１２％の範囲にあり、この値は色覚正常者のデータから得られた値（１６４％）の１．０〜１．３倍程度であった。
【００３５】
図１１のＡ−Ｄは、予め色覚が後天的に異常であると判っているユーザ３（以下、「後天的色覚異常者」とする）から取得された定常性視覚誘発電位の振幅の一例が示される。図１１のＡ及びＢは白内障者のデータであり、図１１のＣ及びＤは緑内障者のデータである。
【００３６】
図１１に示されるように、後天的色覚異常者から得られた定常性視覚誘発電位の振幅の特徴として、図９のＥと比べてＲ−Ｇ系第２表示及びＢ−Ｙ系第２表示に対する定常性視覚誘発電位の振幅が小さくなっている。Ｒ−Ｇ系第２表示について第１表示に対する定常性視覚誘発電位の振幅を基準とした増加分の最大値は１１２−１７５％の範囲にあり、この値は色覚正常者のデータから得られた値（２８５％）の半分程度であった。一方、Ｂ−Ｙ系第２表示について第１表示に対する定常性視覚誘発電位の振幅を基準とした増加分の最大値は１０６−１５８％の範囲にあり、この値は色覚正常者のデータから得られた値（１６４％）の半分から等倍程度であった。
【００３７】
色覚判定部３０は、脳波信号取得部２０により取得された、第１表示に応じた第１電気信号と第２表示に応じた第２電気信号とに基づいて、ユーザ３の色覚が正常であるか否かを判定する。色覚判定部３０は、ユーザ３から得られた定常性視覚誘発電位の振幅に基づき特徴ベクトルを作成し、所定の特徴空間に写像して判定を行う。
【００３８】
図１２には、ユーザ３の一人から取得された定常性視覚誘発電位の振幅が示される。例えば、明滅周波数が３Ｈzの時の特徴ベクトルを作成する例を挙げて説明する。特徴ベクトルＦＶは２次元とし、(１)式のようにＦＶｘとＦＶｙとから構成される。
ＦＶ＝（ＦＶｘ，ＦＶｙ）  ・・・（１）
ＦＶｘ＝ＳＳＶＥＰＲＧ−ＳＳＶＥＰＧ  ・・・（２）
ＦＶｙ＝ＳＳＶＥＰＢＹ−ＳＳＶＥＰＧ  ・・・（３）
【００３９】
ここで、ＦＶｘはＲ−Ｇ系第２表示によって得られた定常性視覚誘発電位の平均振幅ＳＳＶＥＰＲＧと、第１表示によって得られた定常性視覚誘発電位の平均振幅ＳＳＶＥＰＧとの差分である。また、ＦＶｙはＢ−Ｙ系第２表示によって得られた定常性視覚誘発電位の平均振幅ＳＳＶＥＰＢＹと、第１表示によって得られた定常性視覚誘発電位の平均振幅ＳＳＶＥＰＧとの差分である。このようなＦＶｘ及びＦＶｙは、夫々Ｒ−Ｇ系の色弁別能力及びＢ−Ｙ系の色弁別能力に対応するものとなる。
【００４０】
このように演算された特徴ベクトルに基づき、ユーザ３の定常性視覚誘発電位の振幅変化を、特徴空間に写像する。すなわち、演算されたＦＶｘとＦＶｙとを用いて、対応する位置に特徴点をプロットする。本実施形態では、特徴空間は２次元であり、横軸はＲ−Ｇ系の色弁別能力を示し、縦軸はＢ−Ｙ系の色弁別能力を示す。
【００４１】
図１３には、全てのユーザ３から得られた定常性視覚誘発電位の振幅データを用いて、明滅周波数毎にプロットして作成された特徴空間が示される。図１３では、色覚正常者と、先天的色覚異常者と、白内障を有する後天的色覚異常者と、緑内障を有する後天的色覚異常者とを分けてプロットしている。また、色覚正常者の平均も示される。図１３のＡ-Ｅは明滅周波数が夫々２、３、４、５、１０Ｈｚの時のデータを用いて作成された結果であり、図１３のＦは明滅周波数が３及び４Ｈｚの時のデータを用いて作成された結果である。また、図１３のＧは全セッションから得られた定常性視覚誘発電位の振幅データの平均値を用いて作成された結果である。
【００４２】
図１３の全体を通して、色覚正常者はＲ−Ｇ系第２表示の色弁別能力が高い方に偏る傾向があり、色覚異常者はＲ−Ｇ系第２表示の色弁別能力が低い方に偏る傾向があることがいえる。この傾向は、図１３のＦやＧにおいて顕著である。よって、色覚判定部３０が、第１表示に応じた第１電気信号と第２表示に応じた第２電気信号とに基づいて、図１３のＦやＧのような特徴空間にプロットし、その結果によりユーザ３の色覚が正常であるか否かを判定することが可能となる。
【００４３】
図１４には、本視覚診断装置１を用いて色覚が正常であるか否かを自動判定した結果が示される。単一のセッションによるデータを用いて色覚が正常であるか否かの自動判別を行った場合の判別率は最高で８４％であった（明滅周波数３Ｈｚ）。また、明滅周波数が３Ｈｚ及び４Ｈｚのデータを用いた際の判別率は９６．７％であった。更に、全セッションのデータを用いて行った場合の判別率は９８．９％であった。この結果から、本視覚診断装置１によれば、例えばスクリーニング目的で判別率として１００％が求められない場合には十分に利用できることがわかった。
【００４４】
〔その他の実施形態〕
上記実施形態では、第１パターンと第２パターンとは異なるパターンで作成されるとして説明したが、第１パターンと第２パターンとは同じパターンとすることも可能である。
【００４５】
上記実施形態では、視覚オブジェクト（第１表示及び第２表示）は、下地（背景）が灰色に設定されるとして説明したが、下地（背景）を灰色以外の色で構成することも可能である。
【００４６】
上記実施形態では、固視試行における刺激期間表示において当該刺激期間表示が開始されてから２秒経過するまでは固視点は黒色で表示し、その後、固視点の色は黄色に変化して表示されると説明したが、互いに別の色を用いて構成することも可能である。
【００４７】
上記実施形態では、第２表示が、赤色の第３パターン及び緑色の第４パターンからなる表示と、青色の第３パターン及び黄色の第４パターンからなる表示とからなるとして説明したが、第２表示は上記何れか一方のみを用いて構成することも可能である。また、第２表示として、上記実施形態とは異なる色や異なる色の組み合わせを用いて構成することも可能である。
【００４８】
上記実施形態では、第１表示及び第２表示は、第１表示及び第２表示の夫々の色の輝度を所定の範囲内で変化させて彩色されているとして説明したが、第１表示及び第２表示は輝度を変化させずに彩色することも可能である。
【００４９】
上記実施形態では、色覚判定部３０は、第１表示に応じた第１電気信号の振幅値と、第２表示に応じた第２電気信号の振幅値との差異をプロットして作成したマップに基づいて判定するとして説明したが、マップを用いずに例えば数値演算等により判定することも可能である。
【００５０】
本発明は、ユーザの色覚を診断する視覚診断装置に用いることが可能である。
【符号の説明】
【００５１】
１：視覚診断装置
３：ユーザ
１０：表示制御部
２０：脳波信号取得部
３０：色覚判定部
４０：検出電極
Ｇ：表示画面
【図１】
0006614552.tif 000002
【図２】
0006614552.tif 000003
【図３】
0006614552.tif 000004
【図４】
0006614552.tif 000005
【図５】
0006614552.tif 000006
【図６】
0006614552.tif 000007
【図７】
0006614552.tif 000008
【図８】
0006614552.tif 000009
【図９】
0006614552.tif 000010
【図１０】
0006614552.tif 000011
【図１１】
0006614552.tif 000012
【図１２】
0006614552.tif 000013
【図１３】
0006614552.tif 000014
【図１４】
0006614552.tif 000015